(57)【要約】【課題】液体タンク底面の液体流入口に対向して邪魔板をタンク内周面にスポット溶接等で固着するタイプの防音機構は、金属製のタンクには適用できるが、樹脂製のタンクには適用できない。【解決手段】流入口３から流入する液体を衝突させて液面方向への流れを遮る遮断部材９と、遮断部材９を底面２方向に付勢する付勢手段１０、１１とを設け、遮断部材９を、液体が衝突する衝突部９ａと、底面２に当接して衝突部９ａを支持する支持部９ｂとで構成する。【選択図】　図１
2004138344.tif 000002
【特許請求の範囲】
【請求項１】
液体の流入口を底面に有する液体タンクに設置される防音装置であって、タンク内部に設置され流入口から流入する液体を衝突させて液面方向への流れを遮る遮断部材と、該遮断部材を底面方向に付勢する付勢手段とを備え、上記遮断部材は、液体が衝突する衝突部と、底面に当接して衝突部を支持する支持部とを有していることを特徴とする液体タンク用防音装置。
【請求項２】
上記衝突部は、タンク内に設置された状態において上下方向に貫通する小孔を有し、上記付勢手段は、衝突部の上面側に設けられて弾性力によって衝突部を底面方向に付勢する弾性部材と、一端側が該弾性部材に接続され、上記小孔を通して底面方向に引張されて弾性部材に弾性力が生じている状態で他端側がタンクに固定される引張部材とを有していることを特徴とする請求項１に記載の液体タンク用防音装置。
【請求項３】
上記付勢手段は、衝突部に接続されると共に衝突部の下面側に設けられて弾性力によって衝突部を底面方向に付勢する弾性部材と、一端側が該弾性部材に接続され、底面方向に引張されて弾性部材に弾性力が生じている状態で他端側がタンクに固定される引張部材とを有していることを特徴とする請求項１に記載の液体タンク用防音装置。
【請求項４】
上記引張部材は、他端側にフック部を有し、該フック部がタンク外部の流入口縁端に掛着されてタンクに固定されることを特徴とする請求項３に記載の液体タンク用防音装置。
【請求項５】
上記引張部材は、他端側に流入口内径よりも大きな直径のリング部材が接続され、該リング部材がタンク外部から流入口に係止されてタンクに固定されることを特徴とする請求項３に記載の液体タンク用防音装置。
【発明の詳細な説明】
【０００１】
【発明の属する技術分野】
本発明は、液体の流入口を有する液体タンクに設置される防音装置に関する。
【０００２】
【従来の技術】
従来、液体の流入口を有する液体タンクは、暖房温水機の循環回路等に設けられて補給水タンク等として用いられている（例えば、特許文献１参照。）。このような補給水タンクとしては、図８（ａ）に示すように、タンクＴ底面に水の流入口ａを設けると共に、タンク側面に液体の流出口ｂを設け、この流入口ａ及び流出口ｂを介して水を循環させるようにしたものが知られている。
【０００３】
しかし、この補給水タンクＴでは、流入口ａから流入した水がその勢いによってタンク内の水面を隆起させてしまい、水面を乱して騒音を発生させるといった問題があった。この問題を解決するために、図８（ｂ）に示すように、流入口ａに対向するように、邪魔板ｃをタンク内周面にスポット溶接等で固着したものが提案されている。これによれば、流入口ａから流入した水が邪魔板ｃに衝突し、水面方向以外の方向に拡散されるので、水面が隆起せず、騒音が発生しない。
【０００４】
【特許文献１】
特開平９−２６１４５号公報
【０００５】
【発明が解決しようとする課題】
しかし、この提案されている構造は、邪魔板をタンク内周面にスポット溶接等で固着する必要があるため、金属製のタンクには適用できるものの、樹脂製のタンクには適用できないといった問題がある。
【０００６】
そこで本発明は、上記の問題点に鑑み、タンクの材料に関わらず簡単な構造で騒音の発生を防止可能な液体タンク用防音装置を提供することを課題とする。
【０００７】
【課題を解決するための手段】
上記課題を解決するために本発明は、液体の流入口を底面に有する液体タンクに設置される防音装置であって、タンク内部に設置され流入口から流入する液体を衝突させて液面方向への流れを遮る遮断部材と、該遮断部材を底面方向に付勢する付勢手段とを備え、上記遮断部材は、液体が衝突する衝突部と、底面に当接して衝突部を支持する支持部とを有していることを特徴とする。
【０００８】
これによれば、付勢手段によって遮断部材が底面方向に付勢されることにより、支持部が底面に当接すると共に衝突部を支持し、衝突部が底面から一定の距離に保持される。そして、流入口から流入した液体は衝突部に衝突し、液面方向以外の方向に拡散されるので、水面が隆起せず、騒音が発生しない。この遮断部材は、タンク内周面にスポット溶接等で固着する必要がないため、あらゆる材料で形成されたタンクに適用することができる。
【０００９】
また、上記衝突部は、タンク内に設置された状態において上下方向に貫通する小孔を有し、上記付勢手段は、衝突部の上面側に設けられて弾性力によって衝突部を底面方向に付勢する弾性部材と、一端側が該弾性部材に接続され、上記小孔を通して底面方向に引張されて弾性部材に弾性力が生じている状態で他端側がタンクに固定される引張部材とを有するのが好ましい。あるいは、上記付勢手段は、衝突部に接続されると共に衝突部の下面側に設けられて弾性力によって衝突部を底面方向に付勢する弾性部材と、一端側が該弾性部材に接続され、底面方向に引張されて弾性部材に弾性力が生じている状態で他端側がタンクに固定される引張部材とを有するようにしても良い。
【００１０】
なお、上記引張部材は、他端側にフック部を有し、該フック部がタンク外部の流入口縁端に掛着されてタンクに固定されるようにするのが好ましい。あるいは、上記圧縮部材または引張部材は、他端側に流入口内径よりも大きな直径のリング部材が接続され、該リング部材がタンク外部から流入口に係止されてタンクに固定されるようにしても良い。
【００１１】
【発明の実施の形態】
図１を参照して、１は液体タンクであり、暖房用温水機の、熱媒としての水を循環させる循環回路に用いられる補給水タンクとして用いられるものである。
【００１２】
液体タンク１は、ポリプロピレン等の樹脂をブロー成形することにより形成され、底面２には、水をタンク内に流入させるための流入口３と、水をタンク内から流出させるための流出口４とが開口している。これら流入口３及び流出口４は、タンク外周面から外側に延びる流入管３ａ及び流出管４ａをそれぞれ備えており、これら流入管３ａ及び流出管４ａを介して水が流入及び流出される。
【００１３】
また、液体タンク１の上面には、蒸発によって失われた分の水を補給するための給水口５と、発泡体で形成される水位確認フロート（図示しない）を挿入するための挿入口６と、タンク内の水が多すぎる場合に水を強制的に排出させるための排水口７とが形成されている。
【００１４】
流入口３には、液体タンク１内から防音装置８が設置される。この防音装置８は、タンク１内部に設置され、流入口３から流入する水を衝突させて水面方向への流れを遮る遮断部材９と、その遮断部材９を底面２方向に付勢する（付勢手段）のに用いられるコイルバネ（弾性部材）１０及びピン（引張部材）１１とを備えている。
【００１５】
遮断部材９は、図２に示すように、流入口３からの水が衝突する衝突部９ａと、下端が底面２に当接して衝突部９ａを支持する４本の支持部９ｂとを有している。衝突部９ａには、タンク１内に設置された状態において上下方向に貫通する小孔ｈが穿たれている。
【００１６】
コイルバネ１０は、図３に示すように、衝突部９ａの上面側に載置されており、このコイルバネ１０の弾性力によって衝突部９ａを底面２方向に付勢するように構成されている。コイルバネ１０の上端１０ａは、ピン１１の一端側１１ａと接続しやすいように、略コイルの直径に沿うように折曲されている。
【００１７】
ピン１１は、上記衝突部９ａの小孔ｈに挿入され、一端側１１ａがコイルバネ１０の上端１０ａに接続される。そして、ピン１１が底面２方向に引っ張られてコイルバネ１０に圧縮弾性力が生じている状態において、他端側１１ｂがタンク１に固定される。具体的には、ピン１１の一端側１１ａは折曲されて環状に形成されており、この環がコイルバネ１０の上端１０ａに接続される。また、ピン１１の他端側１１ｂは折曲されてフック状に形成されており、このフックが液体タンク１外部の流入口３縁端３ｂに掛着されることにより、ピン１１の他端側１１ｂがタンク１に固定される。このとき、この他端側１１ｂのフックの形状は、ピン１１の直線部分とフック先端と距離ｂが、流入管３ａの内径よりも大きく、かつ、流入管３ａの外径よりも小さくなるようになっている。これにより、ピン１１の他端側１１ｂの流入口３縁端３ｂに対する掛着が脱離することがなく、また、流入管３ａに対して外側からホース等を嵌着することができる。
【００１８】
次に、図４を参照して、この防音装置８のタンク１内部への取付方法について説明する。
【００１９】
まず、タンク１内部に設置する前の状態において、ピン１１の他端側１１ｂは折曲されて一端側１１ａと同様に環状に形成されている。この他端側１１ｂの環にワイア１２の一端を接続すると共に、ワイア１２をタンク１外部から挿入口６に通し、次に、タンク１内部から流入口３に通す。そして、ワイア１２の他端側をタンク１外部に引くことにより、遮断部材９の支持部９ｂがタンクの底面２に当接し、衝突部９ａが支持部９ｂによって支持される。さらにワイア１２を引くことにより、ピン１１を介してコイルバネ１０が圧縮され、コイルバネ１０に圧縮弾性力が生じている状態になる。この状態では、ピン１１の他端側１１ｂが流入口３の流入管３ａから外部に突出しているので、環状の他端側１１ｂを伸張させてフック状にし、このフックを液体タンク１外部の流入口３縁端３ｂに掛着する（図３参照）。
【００２０】
この防音装置８が設置された液体タンク１では、図１及び図５に示すように、流入口３から流入した水が衝突部９ａに衝突し、その衝突した水は支持部９ｂの間を通って水面方向以外の方向に拡散される。そのため、水面が隆起せず、騒音が発生しない。
【００２１】
なお、上記実施の形態では、コイルバネ１０を衝突部９ａの上面側に設けて遮断部材９を底面２方向に付勢するようにしたが、本発明はこれに限定されるものではない。例えば、図６に示すように、コイルバネ１０を衝突部９ａの下面側に配置すると共に、コイルバネ１０の上端１０ａを衝突部９ａの小孔ｈに接続し、コイルバネ１０の下端１０ｂから連続して形成されたピン１１を底面２方向に引っ張って遮断部材９を底面２方向に付勢するようにしても良い。
【００２２】
また、上記実施の形態では、ピン１１の他端側１１ｂにフックを形成し、このフックをタンク１外部の流入口３縁端３ｂに掛着してタンク１に固定するようにしたが、本発明はこれに限定されるものではない。例えば、図７に示すように、ピン１１の他端側１１ｂが折曲されて形成された環に流入管３ａの内径よりも大きな直径のリング部材１３を接続し、このリング部材１３をタンク１外部から流入口３に係止してタンク１に固定するようにしても良い。この場合もフックの場合と同様に、リング部材１３の直径は流入管３ａの外径よりも小さくすることが好ましい。
【００２３】
また、上記実施の形態では、暖房用温水機の循環回路に用いられる補給水タンクの場合について説明したが、本発明はこれに限定されるものではなく、液体の流入口を底面に有する液体タンクであれば、どのような用途の液体タンクに対しても適用することができる。
【００２４】
また、上記実施の形態ではコイルバネ１０の弾性力を利用して遮断部材９を付勢するようにしたが、本発明はこれに限定されず、コイルバネ１０に代えて種々の公知の弾性部材を用いることができる。
【００２５】
なお、本発明は前期実施の形態のものに限定されるものではなく、必要に応じて種々変更することが可能である。
【００２６】
【発明の効果】
以上の説明から明らかなように、本発明は、付勢手段によって遮断部材が底面方向に付勢されることにより、支持部が底面に当接すると共に衝突部を支持し、衝突部が底面から一定の距離に保持される。そして、流入口から流入した液体は衝突部に衝突し、液面方向以外の方向に拡散されるので、水面が隆起せず、騒音が発生しない。この遮断部材は、タンク内周面にスポット溶接等で固着する必要がないため、あらゆる材料で形成されたタンクに適用することができる。
【図面の簡単な説明】
【図１】本発明に係る防音装置の一実施形態が設置されたタンクを一部削除した正面図
【図２】遮断部材を示す斜視図
【図３】図１の要部の拡大断面図
【図４】防音装置の設置を説明する正面図
【図５】タンクを一部削除した上面図
【図６】本発明に係る防音装置の他の実施形態を示す断面図
【図７】本発明に係る防音装置の他の実施形態が設置されたタンクの拡大断面図
【図８】従来の液体タンクを示す正面断面図
【符号の説明】
１　液体タンク
３　流入口
９　遮断部材
１０　コイルバネ
１１　ピン
【図１】
2004138344.tif 000003
【図２】
2004138344.tif 000004
【図３】
2004138344.tif 000005
【図４】
2004138344.tif 000006
【図５】
2004138344.tif 000007
【図６】
2004138344.tif 000008
【図７】
2004138344.tif 000009
【図８】
2004138344.tif 000010